(57)【要約】本発明は、囲まれた隙間の範囲内で空気の質を改善するための方法と装置を提供する。装置は、毒（例えば浮遊粒子、ジオキシド上のネコ、一酸化炭素、二酸化窒素、バクテリア、ホルムアルデヒド、全体の揮発性の有機化合物、ラドン、化合物の原因となっている器質性臭気）を除去するために空気を処理するために好ましくはゼオライトを含むモレキュラーシーブを提供する。連続して動作することが可能なモレキュラーシーブの多数を有している装置は、開示されて、独立して新規であるか既存のすえ付けまたはスタンドの作り付けの備品のための空気調和法に組み込まれることができる。【選択図】図１
2004505759.tif 000002
【特許請求の範囲】
【請求項１】
下記の諸ステップからなる、建物または閉空間内における空気の品質改善方法。
‐前記閉空間内部から空気を取り込むこと、
‐前記の取り込んだ空気を少なくとも少量の粒子を除去するために少なくとも第１のフィルターを通すこと、
‐濾過した空気を、窒素および／または二酸化炭素および／または一酸化炭素を吸収する材料を含む少なくとも第１のモレキュラーシーブに向け、当モレキュラーシーブ中にとどめ置くこと、
‐酸素含有量のより多い空気を前記モレキュラーシーブから取り込んで、前記閉空間の流出口に向かわせること、
‐カーボン含有気体からのカーボンを含有または保持する前記モレキュラーシーブから少なくとも少量の窒素およびその他の気体を除去するために、前記モレキュラーシーブをフラッシュすること、
【請求項２】
モレキュラーシーブからフラッシュされた窒素の少なくとも一部が、前記の酸素含有量の多い空気に還流されて、これと結合される請求項１に記載の建物または閉空間内における空気の品質改善方法。
【請求項３】
少なくとも第１のモレキュラーシーブが、アルミニュームシリケートを含む請求項１に記載の建物または閉空間内における空気の品質改善方法。
【請求項４】
前記モレキュラーシーブがゼオライトを含む請求項１に記載の建物または閉空間内における空気の品質改善方法。
【請求項５】
前記方法は、第１のモレキュラーシーブがフラッシュされる間少なくとも１つのモレキュラーシーブが作用するように、交互に作用する少なくとも２つのモレキュラーシーブを調製することを含む請求項１に記載の建物または閉空間内における空気の品質改善方法。
【請求項６】
前記方法は、１つのモレキュラーシーブが充填され、平行して別のモレキュラーシーブが一定時間だけ取り込まれ、同時に、第３のモレキュラーシーブがフラッシュされるような３つのモレキュラーシーブの使用を含む請求項５に記載の建物または閉空間内における空気の品質改善方法。
【請求項７】
前記方法は、前記閉空間内の空気循環システムから前記空気を取り込み、酸素含有量のより多い汚染物質の減少した前記空気を前記循環システムに還流することを含む請求項１に記載の請求項１に記載の建物または閉空間内における空気の品質改善方法。
【請求項８】
前記方法は、建物の１室内に、空気流入口と、酸素含有量が多く汚染物質含有量の少ない空気の流出口とを備える自由な常設ユニットを設け、前記排出気体はすべて前記室内の前記ユニットにおいて調製されることを含む請求項１に記載の建物または閉空間内における空気の品質改善方法。
【請求項９】
下記の諸点からなる建物または閉空間内における空気の品質改善装置。
‐前記閉空間内から空気を取り込むための流入口、
‐少なくとも少量の粒子を除去するためのフィルター、
‐前記の濾過空気を収容して、これを窒素および／または二酸化炭素および／または一酸化炭素を吸収する材料と接触した状態に維持する窒素および／または二酸化炭素および／または一酸化炭素を吸収する材料を含む少なくとも第１のモレキュラーシーブ、
‐利用可能な酸素含有量が多く、汚染物質の少ない空気を取り込み、閉空間に還流するための前記モレキュラーシーブの流出口、および、
‐前記モレキュラーシーブと流出排出気体をフラッシュする手段、
【請求項１０】
少なくとも第１のモレキュラーシーブは、アルミニュームシリケートを含む請求項９に記載の建物または閉空間内における空気の品質改善装置。
【請求項１１】
前記モレキュラーシーブは、ゼオライトを含む請求項９に記載の建物または閉空間内における空気の品質改善装置。
【請求項１２】
前記装置は、空気流入口と、酸素含有量が多く汚染物質含有量の少ない空気と、すべてが室環境内にある排出気体のための流出口とを備える自由な常設ユニットを有する請求項９に記載の建物または閉空間内における空気の品質改善装置。
【請求項１３】
前記装置は、前記閉空間の空気全体を処理するために、前記空間内の空気循環システムと接続された、または、接続が可能なユニットを備える請求項９に記載の建物または閉空間内における空気の品質改善装置。
【請求項１４】
前記の少なくとも１つのモレキュラーシーブは、大気圧よりも大きい圧力の下で作用される請求項９に記載の建物または閉空間内における空気の品質改善装置。
【請求項１５】
前記装置は、別のモレキュラーシーブが以前に取り込んだ量の空気を保持する間、１つのモレキュラーシーブが、空気を取り込むことが可能であり、第３のモレキュラーシーブは同時に、その作用サイクルを完了してフラッシュされつつあるような、少なくとも３つのモレキュラーシーブを含む請求項９に記載の建物または閉空間内における空気の品質改善装置。
【発明の詳細な説明】
【０００１】
【発明の属する技術分野】
本発明は室内または密閉空間内で、空気の質を改善するための方法と装置、事項（空気循環システムを有するマルチ部屋建物）のに関する。しかし、本発明はまた、建物のシングルルームにまたは飛行機、列、バス、自動車、その他のような車両に適用する。
【従来の技術】
大部分の都市の環境の、全体的な気圧単位において、利用可能な空気の減少する質があること。空気の質のこの低減は建物の範囲内で反覆されて、いくつかの例において、より悪くなりさえすることができる。囲まれた建物の範囲内の間接喫煙だけでなく関してニコチンまたはタールを除いて空気に提供される酸素分、全体的な不純物の低減のためにも有害な煙がある。
【０００２】
空気の質の減少が、酸素分の減少、しかし、また、多くの潜在的に有害な成分または汚濁因子の対応する増加だけのためにない。これらは浮遊粒子の増加を含む。そして、二酸化炭素、一酸化炭素、二酸化窒素、一般細菌、ホルムアルデヒド、全体の揮発性の有機化合物（ＴＶＯＣｓ）、ラドン、器質性臭気が化合物の原因となる。
【０００３】
乏しい空気の質に長期間露光と関連する健康問題は、かなり文書化される。加えて、乏しい空気の質は、レサジーに至ることによって、要員の製作性に対するじかの影響を有することができる。これは、乏しい空気の質に露光に非常に急速に始まることができる
建物の範囲内で気圧単位を操作する従来の形は、温度制御のための空気調和を役立たせる。ユニットがいくつかのろ過により提供されると規定している空気、これらのフィルタは、一般に単に空気調和システムで至ることから粗大粒子を除外するだけのあと思案である。気にせずに、これらのフィルタは、建物の全体にわたる各々の給気口または出口の一般に静止のフィルタであって、急速に粒子状物質でいっぱいに詰まる。これは、通常のメンテナンスがフィルタを掃除して、置き換えることを必要とする。そうする不履行は、有害な有機体のための繁殖地に急速に空気の質を改善するいかなる試みよりむしろもフィルタをオンにすることができる。
【０００４】
一般に、実際に、彼らを除去するよりはむしろ、空気調和装置は建物の全体にわたって問題を循環させる傾向がある。シックビルシンドロームまたは建物に対するこの種の結果先導は、着実に更に悪いことに時間を乗り越える疾病を話した。
【０００５】
それは、すでに部分的に気圧単位の範囲内で酸素百分率を増やすことによる空気の質を改善することは知られる。この種の手法は、後援者のいくつかの休養を提供して、彼らが意図したより、長く停止するのを奨励するためにカジノのようないくつかの建物において、すでに使われる。しかし、この種のシステムは、建物から外側まで一般に酸素加、排気を有する空気流れを追加する。それらは、建物の範囲内で空気を処理しようと努力しないかまたは不純物の特定の問題について言及しない。
【０００６】
他装置は、酸素換気機のような装置による制御、非常に局所化された環境だけの空気の質を改善するために要求する。この種の換気機は、シングルユーザに空気の質を改善するために面または同様により提供される。
【０００７】
しかし、この種の換気機は、一般に適切でないかまたはより大きい環境ために、適応しなかった。
【０００８】
にもかかわらず、人工の部屋環境を提供するいくつかの方法、生産、生理的部屋環境の制御がある部分的に解くだけである。技術的に履行されることができる２、３の標軸に、気圧単位の複雑さが「減らされる」ので、ある程度生物学上、生理的に耐えられる閉じた隙間の部屋環境を作り出すことは大きい技術の経費を必要として、成功するだけである。部屋において、加えて、起こる標軸は、それの上に来る。
【０００９】
これらは、本質上いずれが「電気のスモッグ」用語の下で最も要約されることができるかについて、予測可能でない、我々がちょうど作用様式を換価するために人体に取りかかっているだけである技術の装置、電気、電磁式の分野からのガスの放射である。標軸システムが湿度温度であると規定している空気、ダスト量、気流速度で調整されてあることができる。
【００１０】
まったく、他標軸は、大変な問題点またはノットだけを有するさえ空気調和システムにより規制されていることができる。これらは、空気（大部分は吹込みをまさにしようとして依存している）、領域性気圧単位（特に大きい市の）の合成を含む。
【００１１】
衛生学は、空気（コンディショナ）を有する大きい問題を申し立てる。配管系（空気（フィルタ）を減衰させて、暖めた）の範囲内の最適の状態のため、菌、一般細菌のための最適の環境はここで提供される。レジオネラ菌の譲渡は、在郷軍人病の引金であるために既知である初老の中の高度の死を有する肺の苛酷引火、その弱められた免疫系を有する。より多くの問題の原因となることは、アスペルギルス（ａｓｐｅｒｇｉｌｌｕｓ）群、ペニシリウム、スタコボトロイス（ｓｔａｃｈｏｂｏｔｒｙｓ）からの菌の譲渡である。芽がアレルギー性肺胞隔炎（またはそのままの肺も呼んだ、空気調和の中の職業病が設計する空気調和機）の発現に、先導において、呼吸した菌類は、１ｇＥ、ｉｍｍｕｎｏｇｌｏｂｕｌｉｎｅｓ、１ｇＭの国内の家庭において、または、弱められた免疫系をもつまた、人において、肺の苛酷引火に変化させる。フィルタの通常の交換、管すえ付けの洗浄は、この問題を止めることができるが、それを決して排除することができない。
【００１２】
空気（例えばアルデヒド）からの有害なケミカルが捕えられて、フィルタにおいて、濃縮されて、このように明らかにより高度の濃度の換気システムに給水されたという趣旨で、空気調和機を有するそれ以上の問題は撮られる空気のプレパラートの問題である。このように１９９３のその他において、Ｓａｏ Ｒｕｒｎｅｌ大学の中で、パオロ（疫学の部門）は心筋のｉｎｆａｒｅｔｓ、一酸化炭素荷重、より高度の周囲温度間の統計学的に重要な接続を検認することが可能であった、また、高度の一酸化炭素荷重を有する大都市圏の人工の部屋環境のために重要だろう接続。
【００１３】
しかし、空気条件付きの部屋を有する最大の問題は、明白にそこで働いている人の生理学的な放射のｎｏｎ−ｐｈｙｓｉｏｌｏｇｉｃａｌな物質、しかし、また、加算の人工の部屋環境、加算の単調である。人が表皮によるほぼ２，０００の化学的に定義された物質を配るということを知られる。表皮による蒸発は、１日、１−１．５リットルまでおおよそ標準的な物理的な放射能、室温の間、達する。これらの物質は、効率的な排気系統で頻繁に除去されなければならない。残念なことに、このテーマ上の審査が、なかった。しかし、非常に間仕切りのないオフィスにおいて、たとえば、これらの放射の高濃度があることは、仮定されることになっている。これらの物質は、先端の特定のレセプタにより検出されて、無意識に起訴した。エストロゲン、テストステロン、いわゆるフェロモンのような物質がこれらの中であるように、広告して性の動作（例えば攻撃、「繩張り制」）のパターンが抑制できない方法において、隠匿されるかまたは公然と起こることは容易に思われることができる。それを知っている部屋の誰なしででも、オフィスの気分は、また、非常にかなりこれにより定義されることができる。だが、順番に、意識がある機能は、規律、濃度、創造力、意思決定電源のようなこれが欠点である。空気調和機の作業は、したがって、このスペクトルを記録して、更に「よりクリーン空気」を構築することでなければならない。
【００１４】
ストレスの下で、リラックスした気圧単位の明らかに高度の「応力物質」は、配られる。
【００１５】
コンディショナがなければならない空気のそれ以上の作業は少しも空気の中でそれほど課せていない注意を撮る、または、病原体起こる、間接的に解かれることができるだけである空気が種子を生じないことになっていない。
上述した係数、それらの影響は、今日、専門医医用用語、「シックビルシンドローム」、ＳＢＳの下で組み入れられる。
【００１６】
その同じ環境が残されるときに、人工の部屋環境の仕事の間、応訴して、消えて行くだけである複雑な病像に、この用語は、心身の、身体的な記憶領域の破壊をまとめる。
【００１７】
慢性被曝に傷害がそれから環境が残される、慢性疾患に主任弁護人となることができる人工の部屋の後、独立しているようになるボデーに影響することは絶対に可能であることは考慮に撮られることになっている、このようにまた、長続きする廃疾にさえとって、医学の、ｓｏｃｉｏ−ｍｅｄｉｃａｌな、経済の理由のために、ＳＢＳを避ける予防措置が緊急に要求されることは非常に明白になる、その既存の解決案は充分でない。
【発明が解決しようとする課題】
本発明の目的は、部屋の全体にわたって人間に対する使える酸素レベルを増加して、有害な成分の百分率を減らすことによる先行技術、汚染物質のいくつかの不利な点を克服する建物の範囲内で、空気の質を改善するための方法と装置、または、空気循環システムで、全体の建物または他が、車両のような隙間を囲んだを提供することである。本発明の少なくとも対象は、実用的な選択によって、公であるものを提供することである。
【課題を解決する手段】
したがって、第１の態様において、本発明は下記の諸ステップからなる、建物または閉空間内における空気の品質改善方法。
‐前記閉空間内部から空気を取り込むこと、
‐前記の取り込んだ空気を少なくとも少量の粒子を除去するために少なくとも第１のフィルターを通すこと、
‐濾過した空気を、窒素および／または二酸化炭素および／または一酸化炭素を吸収する材料を含む少なくとも第１のモレキュラーシーブに向け、当モレキュラーシーブ中にとどめ置くこと、
‐酸素含有量のより多い空気を前記モレキュラーシーブから取り込んで、前記閉空間の流出口に向かわせること、
‐カーボン含有気体からのカーボンを含有または保持する前記モレキュラーシーブから少なくとも少量の窒素およびその他の気体を除去するために、前記モレキュラーシーブをフラッシュすること。
【００１８】
好ましくは前記方法は、ここでモレキュラーシーブからフラッシュされる一部の窒素が返される最少でのステップ、より高度の酸素分の前記空気を有する混合性を含む。
【００１９】
少なくとも一つのふるいが動作しているように、第１のふるいがフラッシュされるとはいえ、好ましくは前記方法は択一的に動作している少なくとも２つのモレキュラーシーブの供給を含む。
【００２０】
好ましくは前記方法は３つのモレキュラーシーブの１が充てんされているように、使用を含む、さらに、期間、第３のためのひかれた空気を保つことはある。そして、フラッシュされることはある。
【００２１】
好ましくは前記方法は、前記循環システムにより高度の使える酸素分、減じた汚染物質の構築している、帰りの前記空気の範囲内で空気循環システムから前記空気をひくことを含む。
【００２２】
あるいは、前記方法は、給気口を有する建物の部屋の範囲内のユニット、空気を含んでいるより高度の使える酸素、減じた汚染物質のための出口、前記排気が前記ユニットに全く提供される自由な静置の条項を含む前記部屋。
【００２３】
好ましくは、この方法は浮遊粒子を含んでいる還元汚染物質または有害な成分を伴う。そして、二酸化炭素、一酸化炭素、二酸化窒素、バクテリア、ホルムアルデヒド、全体の揮発性の有機化合物、ラドン、器質性臭気が化合物の原因となる。
【００２４】
したがって、第２の態様において、本発明は広く下記の諸点からなる建物または閉空間内における空気の品質改善装置であるということができる。
‐前記閉空間内から空気を取り込むための流入口、
‐少なくとも少量の粒子を除去するためのフィルター、
‐前記の濾過空気を収容して、これを窒素および／または二酸化炭素および／または一酸化炭素を吸収する材料と接触した状態に維持する窒素および／または二酸化炭素および／または一酸化炭素を吸収する材料を含む少なくとも第１のモレキュラーシーブ、
‐利用可能な酸素含有量が多く、汚染物質の少ない空気を取り込み、閉空間に還流するための前記モレキュラーシーブの流出口、および、
‐前記モレキュラーシーブと流出排出気体をフラッシュする手段。
【００２５】
好ましくは前記装置は、給気口（空気を含んでいるより高度の使える酸素のための出口）を有している自由な静置ユニットと、部屋環境の範囲内の排気すべてのものとを備えている。
【００２６】
あるいは、前記装置は接続されるユニットを含む、または、前記構築しているか囲まれた隙間の全体にわたって、空気を処理するために接続可能な構築しているか囲まれた隙間の範囲内の空気循環システムにとって。
【００２７】
好ましくは前記モレキュラーシーブは、大気であるより、大きな圧力の下で動作される。
【００２８】
１つのモレキュラーシーブが空気を中でひくように、それ以上のモレキュラーシーブが空気の以前にひかれた量を保っているとはいえ、好ましくは前記装置は少なくとも３つのモレキュラーシーブを含む、第３のモレキュラーシーブは動作のそのサイクルを完了してフラッシュされている。
【００２９】
好ましくは前記装置は、浮遊粒子、二酸化炭素、一酸化炭素、二酸化窒素、バクテリア、ホルムアルデヒド、全体の揮発性の有機化合物、ラドン、化合物の原因となっている器質性臭気を含んでいる汚染物質を減らす。
【００３０】
本発明の更なる態様は、進められている記載を読みとると、即座に、当業者にとって明らかになる。
【発明の実施の形態】
本発明の好ましい実施形態は以下の図面を参照して説明される。
【００３１】
本発明は運搬車（例えば平面、列、図面を参照する。その他）を含んでいる構築しているか他の囲まれた隙間の範囲内で、空気の質を改善するための方法と装置空気の質を改善する装置の第１実施例が、示されるに関する。この線図は、シングルルームまたは他のものの自由な静置ユニットが環境を制御したように、建物の空気循環システムの範囲内の法令に組み入れられるかまたは提供される一部の装置を示す。
【００３２】
図１の装置１が多くの分離可能素子を提供することは、単一の包括的装置が単一のハウジングの範囲内でか各々と連通して別に提供したように、求められるように、これらの素子が提供されることができることは、感謝されなければならない。さらに、装置１は循環システムに適合される別個の装置以外の構築している空気循環システムのより大きいすえ付けの範囲内で含まれる。
【００３３】
より十分な処理を提供する努力または囲まれた隙間の範囲内の空気の変換において、本発明は空気のための減衰器としてゼオライトの使用の方を見る。
【００３４】
ろ過または処理システムへの要求は、それが二酸化炭素、一酸化炭素、オゾン、亜硫酸ガス、硝石ガス、アンモニア、炭化水素、フェロモンのような人間の放射、電子工学じんあいからの放射、一般細菌または菌類の芽（ホルムアルデヒド、ラドン）のような有害薬品を吸収できるということでなければならない。これを除いて、囲まれた隙間の範囲内の環境は、情動湿度（循環を最適化する温度）に変更されることができる。
【００３５】
ゼオライトは、孔が分子的、原子力レベルでのみぞである比較的高度の多孔性、ところを有するミネラルである。それらは、一般的な公式Ｍ（ｘ／ｎ）［ＡＩ０２］ｘ（ＳｉＯ２）ｙ］＊ ｚ Ｈ２０を有するアルカリケイ酸アルミニウムである。ゼオライトは、定義された間げき寸法を有するみぞの通常のシステムであるｓ−ｄｉｍｅｎｓｉｏｎａｌな結晶格子を形成する。通常、比較的自由な可動型アルカリ、アルカリ接地イオン（例えばナトリウム、カリウム、マグネシウム、他イオンまたはエネルギの大きい経費のない、結晶格子の破壊のない荷電粒子のために交換されることができるカルシウム）は、ラチスの凹みに埋め込まれる。
【００３６】
これの結果は、ゼオライトが特にイオン交換体、触媒コンバータ、解毒剤として適切であるということである。
【００３７】
本発明のゼオライトを使う際に、ゼオライトはモレキュラーシーブにおいて、用いられる。ゼオライトの比較的開いた構造体は、分子的寸法の開きを構築する。
【００３８】
モレキュラーシーブは、それらが異なるサイズの開き寸法、それほど使って別個の分子より小さい分子を吸収するように、意見のために挙げられる。モレキュラーシーブのレンジの範囲内で、その用いているゼオライトは、イオン交換を提供することと、同様にトラップ分子に、両方のかご構造またはトンネル構造体を提供する。
特定のモレキュラーシーブ、使用のためのゼオライトの選択が特定の分子の大きさを目標とするためにモレキュラーシーブの仕立職を許可できることを注意する、それゆえに、特定の汚染物質。にもかかわらず、それはそうであるそのより大きい分子がまた、閉じ込められてあることを注意した。
【００３９】
図１を参照する。装置１は、粒子状物質を除去するために初めのいくつかのろ過を提供する。初めのフィルタ２により実行されるこの初めのろ過は、異なるためのための複数の異なる等級分けされたフィルタを含む。この好適な実施例において、詳細に説かれるように、初めのろ過２が部屋または建物内から空気を受信している入口４に隣接のダストフィルタ３を含んでいてもいい。これは、さらにそれ以上のいくつかのろ過を含む粒子状物質、有効な吸収機６を減らすために純粋なフィルタ５および／またはバクテリアフィルタにより準拠されている。
【００４０】
全体的、単動により提供されるろ過または初めのろ過２を形成しているフィルタの直列は、粉塵事案、純粋な微粒子、好ましくはバクテリアを除去するために意図される。にもかかわらず、酸素分を増加するために要求しない。
【００４１】
圧縮機７は、入口４に、初めのろ過２で空気をひく際に援助するために提供される。さらに、圧縮機は通しの少なくとも一つのモレキュラーシーブ８に圧縮機７の下流を渡している空気に与圧するために要求する。すでに移している空気のいくつかの加力を提供するシステムを循環させている現存またはより大きい空気の範囲内で組み入れられる場合、圧縮機が装置を循環させている他の空気により置き換えられて、不静定であることは、直ちに感謝される。
【００４２】
初めのろ過を進められて、空気は通しの少なくとも一つのモレキュラーシーブ８を渡される。モレキュラーシーブ８は、一般に動作する大気圧、封じ込め窒素および／または二酸化炭素および／または酸素を開放するためにこれらの化合物の付着を違反できる材料または材料を吸収している一酸化炭素大きい。
【００４３】
代表的に、モレキュラーシーブはそれから窒素および／または二酸化炭素と接触して保たれる空気の量および／または材料を吸収しているかまたは変更している一酸化炭素により充電される。モレキュラーシーブを進んでいたより大きな酸素分の空気は、出口９でを離れて、最終的には構築しているか同封の隙間の全体にわたる分配のための出口１０にひかれる。モレキュラーシーブは、それから出口１１によるいくつかの窒素−濃縮された副産物を開放するためにフラッシュされる逆である。この好ましい例に示すように、それ以上の有効な吸収機１２がノイズを減らす出口、材料に提供されること環境を構築することに再びそれ以上の出口１３で帰ってきたか消耗してそれからある外に。建物に消耗したならば、建物が不純物によって、再充電されていることは応訴するにもかかわらず。にもかかわらず、これはケースであると判明しない。
【００４４】
建物は、モレキュラーシーブのゼオライトの好ましい使用の特定の機能のために、不純物によって、再充電されない。ゼオライトは、酸素を開放して、炭素分子を保つためにこれらの化合物の付着を違反することと、同様に保持器光構造体の不純物を閉じ込めることができる。この空気光のアクションは、例えば不純物を除去することになっているだけでなくて、囲まれた隙間に選出される増加する酸素接触に、いくつかのその不純物を変化させることになっていもする。
【００４５】
好ましい形において、装置は複数のモレキュラーシーブを含む。給気、貯留、フラッシングを必要としているモレキュラーシーブを起訴することの環式の性質のために、少なくとも２、好ましくは３つのモレキュラーシーブ８、１４、１５は、提供される。それ以上のふるいがロックされる、さらに他のふるいがほとばしったとはいえ、そのようなものが篩にかける３の条項は入って来る空気により充電される１つのモレキュラーシーブを許可する。
【００４６】
示すように本実施例において、各々のモレキュラシーブは、共同された吸気弁１９、２０、２１を有している入口１６、１７、１８により提供される。弁２２、２３、２４は、また、酸素濃縮された空気のための出口、すすぎのためのそれ以上の出口またはモレキュラーシーブのフラッシング上の弁２５、２６、２７に提供される。モレキュラーシーブが１、他によって、位相を異にして循環して、全体として装置１による空気の実質的に連続的フローを提供するように、これらの弁の制御はモレキュラーシーブの独立の動作を許可する。
【００４７】
圧力調整器２８は、細菌濾過器３０の両側に逆止め弁２９、３１と同様に出口圧力を調整するために出口に提供される。細菌濾過器３０は、すでに非常に被処理空気に作用していて、最終の成分を除去する非常に純粋なフィルタでありえる。
【００４８】
モレキュラーシーブに関して、この好ましい形の受身に酸素分子を許可するとはいえ、分子を含んで、窒素および／または二酸化炭素および／または一酸化カーボンを引きつけることができる様々な材料が役立たせられること、それらが動作されるように、各々のモレキュラシーブは同一である。代わりとして。特許製品『ＯＸＹＳＩＥＶＥ ５』により提供されるように、ヨーロッパにおいて、製造されるように、モレキュラーシーブは実質的に成分を含む。
【００４９】
前のパラグラフにおいて、言及される特許製品は、材料のクラスとして、引用されるゼオライトを含んでいる１つの特定の製品であるこの装置のモレキュラーシーブ。分子的はケイ酸アルミニウムを含むことを篩にかける、または、好ましくは、特定の分子的構造のゼオライトは一般に囲まれた隙間の汚染物質である選択された素子および／または化合物の封じ込めおよび／または分子的破壊を提供できる。
【００５０】
電源装置３２はまた、装置１において、提供される。電源装置はメイン単動フェーズまたは三相の電源のための全体的なユニットの範囲内で要求ように、圧縮機７を運転して、他の装置を駆動するために適切な制御、電流、電圧マニピュレーションによって、求められるように入口を含む。
【００５１】
その上、制御手段３３は弁、圧縮機、モニタ圧力の運転、出力、その他の制御単独運転に提供される。少なくとも一つの好ましい形において、本発明は出口空気の質、潜在的な問題に対する油断のない演算子の低減または清掃に対する必要性がフィルタリングする点に注意する出口空気、その他上のある形のセンサを含む。
【００５２】
ユニットによるフローはユニットのサイズ、電源に左右される。にもかかわらず、ユニットが空気循環システムを通過している全ての空気を処理することは必然的から遠く離れてある。ユニットが必要に応じて実質的に連続的に動作できるように、建物の範囲内の空気または空気循環システムによる通過の小さな百分率だけはいかなる特定の時間でも起訴されることを必要とする。これは、循環の記憶領域の全体にわたって空気の質の徐々の増加に主任弁護人となる。
【００５３】
第１の実験
図１において、一般に示される実施例に従って、装置を役立たせている第１の実験は、ほぼ３０立方メートル、体積の部屋において、実行された。
【００５４】
図１で示す装置は毎分９０リットルの全体の給気口を有した、酸素出口は毎分４リットルでのセットであった。
【００５５】
実験が実行された部屋はスイッチを切られるそれ自身の換気システムを有した、入口、より高度の酸素出力、モレキュラーシーブすべてのもののフラッシングからの排気が同じ環境で起こったように、装置は部屋のランであった。窒素を使い尽くす必要性がなかった、汚染物質は外側に排気を濃縮した。
【００５６】
多くのタバコは汚染物質レベルを増やすために試験の前に部屋において、燃やされた、装置の、その後装置の後の２、４、２６時間での開始が始まる前に、浮遊粒子、二酸化炭素、一酸化炭素、酸化窒素のレベルはモニタされた。
【００５７】
近い部屋環境の範囲内のこの実験の結果は、全体の浮遊粉塵、二酸化炭素、一酸化炭素に関する図２において、二酸化窒素のための図３において、視覚的に示される。
【００５８】
方法と装置が各々のこれらの標軸の大きい低減の原因となることができたことは、図２、３から見られることが可能である。さらに、最小にでこれらの標軸に関しては、結果は非常に驚くべきである。
【００５９】
装置は、現実的に全体の浮遊粉塵を減らすと思われてもよくて、図２の上部において、示されるそれのような低減の原因となってもよいその入口上のろ過を提供する。しかし、窒素および／または二酸化炭素を含んでいるモレキュラシーブおよび／または粒剤を吸収している一酸化炭素は、窒素、他ガスを保つとはいえ、移す酸素を許可するために要求する。これは、一部の酸素−濃縮された出力を用いて、その後フラッシュされて、同じ部屋に戻った。したがって。にもかかわらず、それ‖出口空気（環境が部屋のこの種の全体の低減が観察されてはならないことを示唆する同じ部屋に対する排気のもどり）の二酸化窒素または他汚染物質の低減を参照する思われることができる。さらに、二酸化炭素、一酸化炭素の対応する低減は、まだ重要でもある酸素を有する通過しなければならなくてまたは部屋環境に選出されなければならない排気。うまくこの実験、装置、方法において、示されるＡｓは、部屋環境の範囲内で全てのこの種の汚染物質の低減を提供する。
【００６０】
第２の実験
第２の実験の、装置が建物の換気システムに接続されたこと。換気システムは、再循環、しいられた排気以外だけなしで新しい給気口を有した。換気システムは各日午前８時００分、午後６時００分の間で動作した、入口で、ほぼ８０の立方のフローはペル分を調整する。
【００６１】
建物の空気取入口は、外気に部屋開放式に位置する。
【００６２】
装置は、一般に図１に従って換気システムの空気取入口に、直接に行によって、送られている酸素濃縮された出口を有する空気取入口ユニットの次に設定された。
【００６３】
装置からの排気は、部屋に使い尽くされて、また、換気システムのための全体的な気流を有する吸入系を挿入してもよい。装置は、連続的に定刻周期だけの間のよりむしろランに対する左であった。装置は一般に図１に従って毎分３２０リットルの全体の給気口を有した。出口酸素濃縮された空気は毎分１３リットルで設定される。
【００６４】
一連の空気の質測定は、装置が運転中であった拡張された周期を構築することの範囲内でまたは動作から注に求められるように、なされた変化させる。
【００６５】
これの結果は二酸化炭素に関して試験する、一酸化炭素レベルは図５の浮遊粉塵、二酸化窒素測地原点を有する図４において、示される。
【００６６】
試験は、オンにされていて、１月２８日まで延期するのを任せられている装置を有する１月１１日に始まった。その日上のテストの後、装置は建物に汚染物質の影響もどりを考慮するためにスイッチを切られた。装置は、それから２月１７日上の手術の状況に選出された。
【００６７】
図４、５の結果に示すように、二酸化炭素、一酸化炭素、浮遊粉塵の汚染物質の全体的な低減が、装置の動作の期間の間にある。装置がスイッチを切られるときに、読みとっている二酸化窒素はかなり増加した。
【００６８】
汚染物質レベルの上昇が２５、１月２８日の間に動作の第１の周期の終わりにちょうどある点に注意される。その日付間のこの上昇は、その日付上の周囲の環境の特に重い汚れのような環境要因による。
【００６９】
図１で示す装置１は、換気システムに分数の入力を提供しているだけである。実際、装置１の出力が、換気システムを通過している空気の体積の０．１％だけについて、ある。不注意な、重要な低減は、示される。
【００７０】
換気システムがスイッチを切られたとはいえ、装置１がこれらの試験の左の実行オーバーナイトであったことに注意すべきである。レベルをかなり増大させるために給気口部屋の空気の質を改善される装置１が次の初期を始めることは、現実的に予想されてもよい。しかし、再び、間に合わせだけであることにおいて、起動に同じ部屋、この種のブーストにおいて、また、あることは測る装置１からの排気については、汚染物質の不意の削減は、まだ考慮される。
【００７１】
建物の設備
図６を参照する。代表的な建物の設備は、代表的な建物の換気システムにおいて、設定される図１に従って、合併された装置のための他の配置により示される。
【００７２】
図６に示すように、代表的な建物の換気システムは外気のひくことに一次性の空気取入口４０を含む、これは制御室の範囲内で一つ以上のエアハンドリングユニット４２に導管４１によって、ダクトで送られる。エアハンドリングユニット４２は、それから特定のオフィス換気システム４３に、空気を移す。
【００７３】
これに示すようにひいて、装置のための一連の他の配置は、配置５１、５２，５３、５４であって示される。
【００７４】
配置５１で、装置１は濃縮される酸素の正流を作り出すために一次性の空気取入口により設定される、汚染物質は空気を減らした。配置５２において、装置が導管４１の範囲内でまたは一次性の空気取入口４０のその導管、下流と連通してある。他の配置５３において、装置は適切な制御環境の範囲内でエアハンドリングユニットによって、動作すると言われている。
【００７５】
最終の他の配置５４が、一般にオフィス環境の範囲内である。
【００７６】
本発明の好ましい形の、配置５３または５４が望ましいことそれらが選出された空気を処理することがよりできるように、全体的な循環システムの部分にある。対照的に、配置５１、５２は吸気に濃縮される酸素、汚染物質減じた空気を提供する。にもかかわらず、いかなる排気も処理するべき位置の、気圧単位の循環に関して必然的にノットにあった。
【００７７】
注意すべきである、図６に関して、ｐｌａｃｅｒｎｅｎｉｓが図１で示す装置が提供されると臆断する単一ユニット。上記したように、方法は装置が単一のスタンドアローン装置として提供されることを必要としなくて、一般に換気システムまたは構築している環境の全体にわたって異なる配置で各々と連通して動作している一連のユニットを含んでもよい。
【００７８】
理論的処理能力
ゼオライトモレキュラーシーブ処理能力が腎性の代償療法のダイアリシスクリアランスにいくぶん同様である点に注意された。このように、適当な装置の選択は、計算可能ないくつかの支持体を有する。
【００７９】
ダイアリシス公式において、クリアランスＣはＣ ＝ 血流（ｍｌ／ｍｍ）ｘ ［Ｃｉｎ−Ｃｏｕｔ］／Ｃｏｕｔによって決定され、ここでＣｉｎおよびＣｏｕｔは装置の内と外におけるトキシンの濃度である。
【００８０】
一般に、効率のためのインデックス、Ｋｔ／Ｖは時間ｔ（Ｇｔ）での濃度ＣがＣｔ＝ Ｃｏｘｅ−｛Ｋｔ／Ｖ｝であるようなものである。
ここでＫ ＝クリアランス
ｔ＝時間
Ｖ＝分布の体積、Ｃｏ＝初期濃度
Ｃｔ＝時間ｔでの濃度
ｅ＝オイラー定数である。
【００８１】
同様の公式は、ゼオライトクリアランスＺが各々の汚染物質のために考慮されることができる本発明の装置のために構築されることができる。単一ガスのためのゼオライトクリアランスが、ある：
Ｚｇａｓ＝ｇａｓｆｉｏｗ ｘ［Ｃｇａｓ−ｉｎ−Ｃｇａｓ−ｏｕｔ］／Ｃｇａｓ−ｏｕｔ
【００８２】
代表的な部屋環境を処理する際に、多くの毒はある、ゼオライトクリアランスは全体的に各々のこれらの毒のそのクリアランスの機能である。我々がＺ＝ｇａｓｆｉｏｗ（ｍ３／ｄ）ｘ ［Ｃｉｎ − Ｃｏｕｔ］／Ｃｏｕｔ；Ｑｃ＝［Ｃｉｎ−Ｃｏｕｔ］／Ｃｏｕｔ、とする場合、多くのガスのための一体化されたゼオライトクリアランスは、Ｚｉｎｔ＝ｇａｓｆｉｏｗ ｘ［Ｑ１ｘＱ２ｘ……ｘＱｎ］１／ｎとなる。
【００８３】
特定の部屋のための装置必然的を意図するときに、公式は環境を世界保健機構（ＷＨＯ）によって、書き取るそれのような適切な基準にあげるために役立たせられることが可能である。その場合には、適切な式として以下が挙げられる：
Ｃｔ＝Ｃ０−｛Ｃ０−ＣＷＨＯ｝ｘｅ−Ｋｔ／ｈｓ
ここでＣＷＨＯは世界保健機構によって、屋内の環境のための有毒ガスのための推奨された濃度に等しい
ｈ＝部屋の高さ
ｓ＝部屋の面積
ｈ ｘ ｓ＝部屋の体積
【００８４】
本発明は、異なる環境を有する上型に異なるガス流量、異なる多量のゼオライトを有している機械の異なるモデルを提供できる。装置の好適な実施例上の実験から、１，６５０のグラムのゼオライト混乱を含んでいるモデルが１２９．６ｍ３／２４ｈの実験の流れが示したガスを有すること、この種の機械のためのゼオライトクリアランスは、３０−ｍ２部屋のための進められている表１において、示されることができる。
2004505759.tif 000003
一体化された隙間容積係数Ｑは、Ｑ ＝［ Ｑｃｏ ｘ Ｑｃｏ２×Ｑ ｎｏｘ ｘ Ｑ ｒｓｐ ］１／４（値：２，４６８）として示されうる。
【００８５】
この種の機械がどれくらいであるか、特定のすえ付けのために必要に、これはこの特定の機械のための計算として用いられることが可能である。
【００８６】
本発明の好ましい形の、ゼオライトモレキュラーシーブも役立たせることはラドン、その第１の分解生成物の重要な低減を提供すること。ラドンは多くの国（実際には花こう岩のような天然ミネラルのケージ化）の特定の問題である。花こう岩微粉がコンクリートの添加剤として用いられる場合、ラドンガスの高度の蒸発が始まって。建物は気圧単位にラドンガスを発し続けて、関連した疾患の構築に関連があった。特に好適な実施例において、実用的なラドンのクリアランスを提供するゼオライトモレキュラシーブの機能がある。
【００８７】
このように、その本発明が装置からの排気が建物の外で目指すかどうか、重要な汚染物質の重要な低減の原因となるように見える室内空気の質を改善するための方法、装置を提供することが分かる、または、環境に戻されて連続的に循環される。メンテナンス、洗浄、モレキュラシーブ内の材料の交換も一定の間隔で必要になるにもかかわらず、好ましい形にて説明したように、装置はマニュアルモニターリングなしで実質的に連続的に動作することができて、潜在的に多くの有害な成分について言及できる。
【００８８】
本発明は、現存空気を浄化し、処理して、建物の構造と、建物、他の同封の環境（例えば飛行機、その他）のための継続的コストにおいて実質的な利点を提供する方法と装置を提供する。
【００８９】
建物の構造の主要な費用は、空調の形で建物に外部の空気を導く。本発明は、建物（建物の範囲内で空気を処理する能力が建物の外側でダクトで送られる空気の必要性を避ける本発明のもの）の全体にわたって配管を用いることを続けることは可能であるが、さらに、大きい中央の空気調和装置に依存することを構築することの全体にわたってより小さな記憶領域のすえ付けを設定することは、より容易である。現在の空調技術が毒で組立てたものを裁判して、最小にするために建物の範囲内で空気の完全フラッシングに依存するように、ａｉｒｆｉｏｗｓはかなり減じている。
【００９０】
本発明のそれ以上の利点は、建物をフラッシュする外気の使用において、それである。そして、外気はしばしば非常に汚染された市の重要なろ過を必要とする。
【００９１】
より多くの重要な節減は、電源費用に関してなされることができる。毒を除去するために、電流空気調和装置は、建物の外側でから建物内から空気、フィルタリングされた空気のもどりの取りはずしに依存する。
【００９２】
コースの中で、多くの気候において、建物、現在の気温外側の範囲内の理想的な温度間の比較的大きい差動歯車が、ある。湿度は、また、多くの市の主要な係数である。電流システムは、空気の大きい部分が１）ｅに対する差動歯車必要性が空気調和装置によって、調停した温度から、建物、これの外側でひかれることを必要とする。建物の範囲内で空気を処理することが可能なことによって、本発明はすでに処理される建物内から理想的な温度の近くにある空気を許可して、建物に戻った、それゆえに、助成する必要性を最小にすることは空気を条件づける。空気が冷却されるか現在の技術を用いている外側から加熱される場合、これは両方ともより暑い、より常温の気候で起こる。
【００９３】
本発明のさらに他の利点は、温室効果ガスの潜在的な低減において、強調される。空気調和法が最高７０％の工業化された市において、用いられるエネルギのために勘定できることは、重要である。かなり電源使いかたを減らして、本発明ノットによって、得られる空気調和法のための要求の低減が全国的な基本にまた、構築している所有者に貯金を提供するだけである有意。これは、現在用いられるエンジン系から温室放射を減らす。水力電力のような電気エネルギの比較的クリーンソースをもつ国にさえおいて、温室効果ガスを発する原動所の使用が、しばしばせん頭負荷枯らしの間、ある。季節の電源使いかたの変化が減じているように、本発明のエネルギー節約型ポテンシャルはこれらの付加的な電源の必要性を減らす。
【００９４】
温室還元ガスのさらに他の低減は、建物から汚染物質の排気の排除により獲得される。周囲の気圧単位に汚染物質を駆除するために要求している電流空気調和装置については、建物は市の範囲内でかなり環境条件を悪化させることができる。汚染物質の排気よりむしろ空気の処理は、この点で主要な利点を提供できる。
【００９５】
本発明の範囲に対する考慮された極限であってはならない好適な実施例に関して、本発明は一般に述べられた。記載の全体にわたって引用される特性整数は、必要に応じて周知の相当を組み入れるために見做される。
【図面の簡単な説明】
【図１】
図１は、本発明の好適な実施例の部分を形成している装置の回路図である。
【図２】
図２は、時間と競争で全体の浮遊粒子を示している装置、二酸化炭素、一酸化炭素の好適な実施例の試験運転を進められているグラフィック結果を提供する。
【図３】
図３は、図２に記載の同じ試験の二酸化窒素のレベルのグラフィック結果である。
【図４】
図４は、二酸化炭素、一酸化炭素のための結果を示しているそれ以上の試験の結果のそれ以上のグラフ図である。
【図５】
図５は、浮遊粉塵、二酸化窒素の用語の図４において、詳細に説かれる試験のグラフィック結果である。
【図６】
図６は、建物の空気循環システムの装置の１つの可能な位置決めの回路図である。
【図１】
2004505759.tif 000004
【図２】
2004505759.tif 000005
【図３】
2004505759.tif 000006
【図４】
2004505759.tif 000007
【図５】
2004505759.tif 000008
【図６】
2004505759.tif 000009
【国際公開パンフレット】
2004505759.tif 000010
2004505759.tif 000011
2004505759.tif 000012
2004505759.tif 000013
2004505759.tif 000014
2004505759.tif 000015
2004505759.tif 000016
2004505759.tif 000017
2004505759.tif 000018
2004505759.tif 000019
2004505759.tif 000020
2004505759.tif 000021
2004505759.tif 000022
2004505759.tif 000023
2004505759.tif 000024
2004505759.tif 000025
2004505759.tif 000026
2004505759.tif 000027
2004505759.tif 000028
2004505759.tif 000029
2004505759.tif 000030
2004505759.tif 000031
2004505759.tif 000032
2004505759.tif 000033
2004505759.tif 000034
2004505759.tif 000035
2004505759.tif 000036
2004505759.tif 000037
2004505759.tif 000038
2004505759.tif 000039
2004505759.tif 000040
2004505759.tif 000041
2004505759.tif 000042
2004505759.tif 000043
2004505759.tif 000044
2004505759.tif 000045
2004505759.tif 000046
2004505759.tif 000047
2004505759.tif 000048
【国際公開パンフレット（コレクトバージョン）】
2004505759.tif 000049
2004505759.tif 000050
【国際調査報告】
2004505759.tif 000051
2004505759.tif 000052